(57)【要約】【課題】筐体の破損や、筐体を構成するケース部品の間に隙間が生じることを抑制することが可能なストラップ取り付け部を有する携帯電子機器を提供する。【解決手段】対向する２つのケース部品３１，３２を組み合わせて構成される筐体３に、ストラップを係止する取り付け部５が設けられた携帯電子機器であって、取り付け部５は、ストラップを挿通させるストラップホール５ａと、ストラップを係止すると共にストラップホール５ａの壁面の一部を構成する係止部５ｂと、を有し、２つのケース部品３１，３２の各々には、それぞれストラップを挿通させる挿通部５１ａ，５２ａと、ストラップを係止する係止部材５１ｂ，５２ｂと、が設けられ、各々の係止部材５１ｂ，５２ｂが、筐体の側壁の厚さ方向に重なって係止部５ｂを構成すると共に、各々の挿通部５１ａ，５２ａが、相互に重なってストラップホール５ａを構成することを特徴とする。【選択図】図３
2010109150.tif 000002
【特許請求の範囲】
【請求項１】
対向する２つのケース部品を組み合わせて構成される筐体に、ストラップを係止する取り付け部が設けられた携帯電子機器であって、
前記取り付け部は、ストラップを挿通させるストラップホールと、前記ストラップを係止すると共に前記ストラップホールの壁面の一部を構成する係止部と、を有し、
前記２つのケース部品の各々には、それぞれ前記ストラップを挿通させる挿通部と、前記ストラップを係止する係止部材と、が設けられ、
各々の前記係止部材が、前記筐体の側壁の厚さ方向に重なって前記係止部を構成すると共に、各々の前記挿通部が、相互に重なって前記ストラップホールを構成することを特徴とする携帯電子機器。
【請求項２】
各々の前記係止部材は、互いに密着していることを特徴とする請求項１に記載の携帯電子機器。
【請求項３】
各々の前記係止部材のうち、前記筐体の内側に配置される係止部材の形成材料は、前記筐体の外側に配置される係止部材の形成材料よりも高い材料強度を有することを特徴とする請求項１または２に記載の携帯電子機器。
【請求項４】
各々の前記係止部材のうち、前記筐体の内側に配置される係止部材は、前記筐体の外側に配置される係止部材よりも厚く形成されていることを特徴とする請求項１から３のいずれか１項に記載の携帯電子機器。
【発明の詳細な説明】
【技術分野】
【０００１】
本発明は、携帯電話、電子手帳あるいはデジタルカメラなどの携帯電子機器に関するものである。
【背景技術】
【０００２】
近年、携帯電話、ＰＤＡ(Personal Digital Assistant)、電子手帳あるいはデジタルカメラなどの各種の携帯電子機器が提供されている。これらの携帯電子機器は、筐体本体に紐状のストラップを取り付ける取り付け部が設けられていることが多い（例えば、特許文献１参照）。該取り付け部にストラップを取り付けることで、使用者が携帯電子機器を保持しやすくなり、機器の落下を防止することができる。他にも、自己の携帯電子機器を識別するための目印として、または装飾の一部としてストラップを取り付けることも多い。
【特許文献１】特開２００７−１２７５０号公報
【発明の開示】
【発明が解決しようとする課題】
【０００３】
近年では、技術の発展および高い携行性を求める市場要求により、携帯電子機器の小型化が進んでいる。そのため、携帯電子機器は構成部材が小さくなっており、その分、破損しやすくなっている。
【０００４】
図５には、代表的な携帯電子機器である携帯電話機を示している。図５（ａ）には、通常知られた携帯電話機の例として、表示画面を有する平面視略矩形の第１の筐体１２０、操作キーが設けられた平面視略矩形の第２の筐体１３０、がヒンジ部で連結した折り畳み式の携帯電話機１００を示している。図に示す携帯電話機１００は、第２の筐体１３０の角部において、２辺にまたがってストラップホール１５０ａが形成されたストラップ取り付け部１５０を有している。
【０００５】
図５（ｂ）に示すように、携帯電話機１００の第２の筐体１３０は、携帯電話機１００を折り畳んで閉じた際に第１の筐体１２０と対向するフロントケース１３１と、携帯電話機１００を折り畳んで閉じた際に外部に露出するリアケース１３２とが合わさって構成されている。通常の携帯電話機１００では、フロントケース１３１またはリアケース１３２のいずれか一方にストラップ取り付け部１５０を設けており、図５（ｂ）にはリアケース１３２にストラップ取り付け部１５０が設けられている例を図示している。ストラップ取り付け部１５０には、図５（ｃ）の概略断面図に示すように、柱状の係止部１５０ｂを回り込んでトンネル状のストラップホール１５０ａが設けられている。
【０００６】
このような構造を有する携帯電話機１００にストラップを取り付けて使用する際、図６に示すような不具合が生じることがあり、改善が求められている。
【０００７】
即ち、図６（ａ）に示すように、ストラップ取り付け部１５０にストラップＳを取り付けた状態で、ストラップＳを介して矢印方向に引っ張る力Ｆ１が加わると、リアケース１３２が反ってしまい、歪みや破損の原因となることである。
【０００８】
このような不具合は、薄型の携帯電話機がトレンドとなっている現在ではより顕在化しやすい。即ち、薄型の筐体を構成するリアケース１３２も薄型化されると、リアケース１３２の剛性が低下し、曲がりやすく、また破損しやすくなってしまうためである。このような筐体では、破損に至らないまでも、引っ張る力Ｆ１が加わった時にリアケース１３２とフロントケース１３１との間が開き、隙間を生じてしまうこともある。すると、隙間から塵や埃が入りやすくなり、内部の回路基板を損傷しやすくなってしまうほか、何よりも使用感が非常に悪い。
【０００９】
このような反りによる破損を防ぐために、ストラップ取り付け部１５０の近傍にリアケース１３２とフロントケース１３１とを係止するネジ止め部を設けてネジ止めすることも行われている。しかし、このような構造により反りを防止すると、ストラップ取り付け部１５０とネジ止め部とを対にして配置することが必須となるため、設計自由度が低下してしまう。
【００１０】
あるいは、図６（ｂ）に示すように、ストラップＳを介して矢印方向に引っ張る力Ｆ２が加わると、係止部１５０ｂが破断してしまうことである。樹脂材料を用いて筐体を成形している場合、破断を防ぐため係止部１５０ｂを太くすると、成型時にヒケを生じやすくなり、外観を損なうこととなってしまう。
【００１１】
ストラップを取り付けていると、携帯電話機を保持しやすくなり落下を防止することができる反面、例えば鞄やポケットからの出し入れ時や、テーブルから拾い上げる際に、ストラップが何かに引っかかり、上述のような破損を起こしやすい。
【００１２】
本発明はこのような事情に鑑みてなされたものであって、筐体の破損や、筐体を構成するケース部品の間に隙間が生じることを抑制することが可能なストラップ取り付け部を有する携帯電子機器を提供することを目的とする。
【課題を解決するための手段】
【００１３】
上記の課題を解決するため、本発明の携帯電子機器は、対向する２つのケース部品を組み合わせて構成される筐体に、ストラップを係止する取り付け部が設けられた携帯電子機器であって、前記取り付け部は、ストラップを挿通させるストラップホールと、前記ストラップを係止すると共に前記ストラップホールの壁面の一部を構成する係止部と、を有し、前記２つのケース部品の各々には、それぞれ前記ストラップを挿通させる挿通部と、前記ストラップを係止する係止部材と、が設けられ、各々の前記係止部材が、前記筐体の側壁の厚さ方向に重なって前記係止部を構成すると共に、各々の前記挿通部が、相互に重なって前記ストラップホールを構成することを特徴とする。
【００１４】
本発明においては、前記複数の係止部材は、互いに密着していることが望ましい。
【００１５】
本発明においては、各々の前記係止部材のうち、前記筐体の内側に配置される係止部材の形成材料は、前記筐体の外側に配置される係止部材の形成材料よりも高い材料強度を有することが望ましい。
【００１６】
本発明においては、各々の前記係止部材のうち、前記筐体の内側に配置される係止部材は、前記筐体の外側に配置される係止部材よりも厚く形成されていることが望ましい。
【発明の効果】
【００１７】
この発明によれば、ストラップを係止する係止部は、筐体内側から外側への厚み方向に複数の係止部材が重なって構成されている。ストラップを介して係止部に係る力は、筐体内側から外側へ向かう引張り力であるため、引張り力と同方向に重なる複数の係止部材が協働して引張り力に対抗し、係止部に加わる力を複数の係止部材に分散させる。したがって、各々の係止部材に加わる応力を低減させることができ、係止部の破損を抑制することができる。
【００１８】
更に、ストラップを介して係止部に係る力は、係止部材を介して複数のケース部品に作用するため、１つのケース部品のみが引っ張られることで変形し、他のケース部品との間に隙間を生じてしまうというような不具合を抑制することができる。したがって、良好に破損を抑制することが可能な携帯電子機器とすることができる。
【００１９】
この発明によれば、複数の係止部材が密着することで一体となり、より強固な係止部とすることができるため、より破損しにくい係止部とすることができる。
【００２０】
この発明によれば、係止部に対してストラップを介した引張り力が加わる際には、高い材料強度を有する係止部材に力が加わることになるが、この筐体内側の係止部材は材料強度が高いため、繰り返し加わる応力に対しても疲労破壊を起こしにくい。したがって、ストラップを介して繰り返し引張り力が加わっても、係止部が破損しにくく、信頼性が高い携帯電子機器とすることができる。
【００２１】
この発明によれば、筐体内側の係止部材を厚く形成することで高強度とすることができる。通常、樹脂材料を用いて係止部材を厚く形成すると、残留応力などの影響によりヒケと呼ばれる外観不良を生じやすいが、筐体外側に重なって他の係止部材が配置されるため、ヒケが生じた部分を覆い隠すことができる。したがって、強度向上と外観不良の抑制とを両立することができる。
【発明を実施するための最良の形態】
【００２２】
［第１実施形態］
以下、図１〜図４を参照しながら、本発明の実施形態に係るに携帯電子機器ついて説明する。なお、以下の全ての図面においては、図面を見やすくするため、各構成要素の膜厚や寸法の比率などは適宜異ならせてある。
【００２３】
図１は、本実施形態の携帯電話機（携帯電子機器）を示す説明図であり、図１（ａ）は斜視図、図１（ｂ）は側面図を示す。
【００２４】
図１に示すように、携帯電話機１Ａは、平面視略矩形状に形成された第１の筐体２と、この第１の筐体２の厚さ方向に重ね合わせ可能な平面視略矩形状の第２の筐体３と、各筐体２，３長手方向の一端部２ａ，３ａに設けられ両筐体を連結する連結部４と、を有している。
【００２５】
各筐体２，３は、連結部４に位置する回転軸Ｌを中心に回動可能となっており、筐体同士が相互に対向するように折り畳み可能となっている。図では、各筐体２，３を相互に重ね合わせて閉じた状態を示している。なお、本実施形態において、回転軸Ｌは、各筐体２，３の厚さ方向に直交する方向に延びるものである。
【００２６】
第１の筐体２は、各種情報を表示する液晶ディスプレイや有機ディスプレイ等の表示部を備えている。該表示部は、携帯電話機１Ａを閉じた状態で第２の筐体３に対向する面である対向面２ｂに露出して設けられている。
【００２７】
第２の筐体３は、各種情報を入力する操作部や、通話用のマイクロフォンの開口部等を備えている。これらの構成は、携帯電話機１Ａを閉じた状態で第１の筐体２に対向する面である対向面３ｂに設けられている。
【００２８】
また、第２の筐体３の一端部３ａ側の角部には、２つの側壁３ｓにまたがってストラップホール５ａが形成されたストラップ取り付け部（取り付け部）５が設けられている。ストラップ取り付け部５の係止部５ｂは、第２の筐体３の角に配置された柱状の形状をしている。
【００２９】
図２は、第２の筐体３の分解斜視図であり、図２（ａ）は全体図、図２（ｂ）は要部の拡大図である。
【００３０】
図２（ａ）に示すように、第２の筐体３は、図１で示す第２の筐体３の対向面３ｂ側を成すフロントケース（ケース部品）３１と、対向面３ｂと反対の面であって携帯電話機１Ａを折り畳んで閉じた際に外部に露出する面を成すリアケース（ケース部品）３２と、が合わさって構成されている。また、ストラップ取り付け部５は、フロントケース３１に設けられた取り付け部５１と、リアケース３２に設けられた取り付け部５２と、に分離することが可能となっている。
【００３１】
フロントケース３１は、操作部を用いて入力する際に繰り返し加圧されるため、リアケース３２よりも材料強度が強い形成材料を用いて形成し、ケースの疲労破壊を防いでいる。本実施形態のフロントケース３１は、ポリアミド樹脂をマトリクス（母材）としてガラス繊維を混入したガラス繊維強化プラスチック（ＦＲＰ：Fiber Reinforced Plastics）を形成材料として用いている。
【００３２】
リアケース３２は、成型性に優れ且つ比較的高強度を示す形成材料を用いて成型されている。本実施形態のリアケース３２は、ポリカーボネート樹脂を形成材料として用いている。
【００３３】
図２（ｂ）に示すように、フロントケース３１の取り付け部５１は、フロントケース３１の一部が筒状（あるいはトンネル状）に形成されたストラップホール（挿通部）５１ａと、係止部材５１ｂとを有しており、リアケース３２の取り付け部５２は、リアケース３２の側壁を貫通する２つの貫通孔（挿通部）５２ａと、２つの貫通孔５２ａに挟まれて位置する係止部材５２ｂとを有している。これらフロントケース３１及びリアケース３２は、必要に応じてケース部材に設けられた鈎部で係止されたり、ネジ止めされたりして結合している。
【００３４】
図３は、ストラップ取り付け部５の断面構造を示す断面図である。本実施形態では、リアケース３２がフロントケース３１を覆うように嵌合することで、第２の筐体３が形成されており、両ケースが嵌合することで取り付け部５１と取り付け部５２とが一体となり、ストラップ取り付け部５を構成している。
【００３５】
即ち、フロントケース３１とリアケース３２とを重ね合わせた際に、取り付け部５１におけるストラップホール５１ａ両端の開口部は、取り付け部５２における貫通孔５２ａと同じ位置となり、ストラップ取り付け部５のストラップホール５ａを形成する。また、係止部材５２ｂの外側の面を覆い、且つ係止部材５２ｂに密着して係止部材５１ｂが配置され、ストラップ取り付け部５の係止部５ｂを形成する。
【００３６】
このような構造であるため、ストラップ取り付け部５にストラップを係止した場合、当該ストラップは、フロントケース３１のストラップホール５１ａと、及びリアケース３２の貫通孔５２ａとの両方を通過することとなる。したがって、取り付けられたストラップを用いてフロントケース３１とリアケース３２とを結び止める構成となり、従来構造では、機器の破損の原因となっていたストラップを用いてフロントケース３１とリアケース３２とを強固に係止することができる。
【００３７】
また、ストラップを係止する係止部５ｂにおいては、フロントケース３１の係止部材５１ｂと、及びリアケース３２の係止部材５２ｂとの両方を用いて、取り付けられるストラップを保持することとなる。従来構造では、係止部の強度不足の際に係止部を太く形成しようとすると、ヒケが生じやすくなり外観を損ねることとなっていたが、本実施形態の構成では、係止部材５１ｂ，５２ｂが一体となり係止部５ｂを構成している。そのため、全体として太い係止部５ｂとすることができ、係止部材５１ｂ，５２ｂが協働して強固にストラップを保持することができる。
【００３８】
更に、より高強度とするために、ヒケが生じるほどに係止部材５１ｂを太く設計して形成したとしても、係止部材５２ｂが係止部材５１ｂを覆い隠すため、係止部材５１ｂが外部に露出することがなく、外観を損なわない。
本実施形態の携帯電話機１Ａは、以上のような構成になっている。
【００３９】
以上のような構成の携帯電話機１Ａによれば、係止部５ｂは筐体内側から外側への厚み方向に係止部材５１ｂ，５２ｂが重なって構成されている。そのため、筐体内側から外側へ向かう引張り力に対し、同じ方向に重なる係止部材５１ｂ，５２ｂが協働して対抗し、係止部５ｂに加わる力を係止部材５１ｂ，５２ｂに分散させる。したがって、各々の係止部材５１ｂ，５２ｂに加わる応力を低減させることができ、係止部５ｂの破損を抑制することができる。
【００４０】
更に、ストラップ取り付け部５にストラップを係止した場合、当該ストラップは、フロントケース３１のストラップホール５１ａと、及びリアケース３２の貫通孔５２ａとの両方を通過することとなる。したがって、取り付けられたストラップを用いてフロントケース３１とリアケース３２とを結び止める構成となり、一方のケース部品のみが引っ張られて変形し、他方のケース部品との間に隙間を生じてしまう、というような不具合を抑制することができる。
【００４１】
また、本実施形態の構成によれば、係止部材５１ｂ，５２ｂが密着することで一体となり、より強固な係止部５ｂとすることができるため、より破損しにくい係止部５ｂとすることができる。
【００４２】
また、本実施形態の構成によれば、ストラップを介して係止部５ｂに繰り返し引張り力が加わっても破損しにくく、信頼性が高い携帯電話機１Ａとすることができる。
【００４３】
また、本実施形態の構成によれば、係止部材５１ｂを厚く形成することで高強度とすることができ、係止部材５１ｂにヒケが生じたとしても、係止部材５２ｂで係止部材５１ｂのヒケを隠すことができるため、強度向上と外観不良の抑制とを両立することができる。
【００４４】
なお、本実施形態においては、リアケース３２がフロントケース３１を覆うように嵌合するとしたが、この逆に、フロントケース３１がリアケース３２を覆うように嵌合することとしても構わない。デザインや形成しやすさ等の他の要因に応じて適宜選択することができる。
【００４５】
また、本実施形態においては、フロントケース３１とリアケース３２とは異なる形成材料であることとしたが、同じ形成材料であっても構わない。
【００４６】
また、本実施形態においては、ストラップ取り付け部５は第２の筐体３の角部に配置されていることとしたが、これに限らない。
【００４７】
図４は、本発明の変形例を示す携帯電話機１Ｂの説明図であり、図４（ａ）は側面図、図４（ｂ）は、携帯電話機１Ｂのストラップ取り付け部の断面構造を示す断面図である。図４（ａ）は図１（ｂ）に、図４（ｂ）は図３にそれぞれ対応する図である。
【００４８】
図４（ａ）に示すように、携帯電話機１Ｂは、第２の筐体６の側壁６ｓにストラップ取り付け部７が設けられている。第２の筐体６は、フロントケース６１およびリアケース６２が結合して形成されている。また、ストラップ取り付け部７は、第２の筐体６の同一の側壁６ｓにストラップホール７ａの開口部を有している。
【００４９】
図４（ｂ）に示すように、リアケース６２がフロントケース６１を覆うように嵌合することで、第２の筐体６が形成されており、両ケースが嵌合することでフロントケース６１に設けられた取り付け部７１と、リアケース６２に設けられた取り付け部７２とが一体となり、ストラップ取り付け部７を構成している。その際、携帯電話機１Ａと同様に、取り付け部７１におけるストラップホール７１ａ両端の開口部は、取り付け部７２における貫通孔７２ａと同じの位置となり、ストラップ取り付け部７のストラップホール７ａを形成する。また、係止部材７２ｂの外側の面を覆って係止部材７１ｂが配置され、ストラップ取り付け部７の係止部７ｂを形成する。
【００５０】
このような構成の携帯電話機１Ｂであっても、携帯電話機１Ａと同様に強固な係止部７ｂを備え、リアケース６２に反りを生じることがなく、信頼性の高い携帯電話機１Ｂとすることが出来る。
【００５１】
また、本実施形態においては、携帯電話機について説明したが、例えば、ＰＤＡ、デジタルカメラ等の他の携帯電子機器であっても構わない。
【００５２】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【図面の簡単な説明】
【００５３】
【図１】本発明の実施形態に係る携帯電話機を示す説明図である。
【図２】本実施形態の携帯電話機に係る第２の筐体の分解斜視図である。
【図３】ストラップ取り付け部の断面構造を示す断面図である。
【図４】本発明の実施形態の変形例を示す携帯電話機の説明図である。
【図５】携帯電子機器の例である携帯電話機を示す説明図である。
【図６】従来例の携帯電子機器の課題を示す説明図である。
【符号の説明】
【００５４】
１Ａ，１Ｂ…携帯電話機（携帯電子機器）、３…第２の筐体（筐体）、３ｓ，６ｓ…側壁、５，７…取り付け部、５ａ，１５０ａ…ストラップホール、５ｂ，７ｂ…係止部、３１，６１…フロントケース（ケース部品）、３２，６２…リアケース（ケース部品）、５１ａ，５２ａ…挿通部、５１ｂ，５２ｂ，７１ｂ，７２ｂ…係止部（係止部材）、Ｓ…ストラップ、
【図１】
2010109150.tif 000003
【図２】
2010109150.tif 000004
【図３】
2010109150.tif 000005
【図４】
2010109150.tif 000006
【図５】
2010109150.tif 000007
【図６】
2010109150.tif 000008